(57)【要約】【課題】  ファイルの開口部から書類が落下する事態を防止できるとともに、必要がないときには容易に外せることができるファイル差込用のシート及び書類入れファイルを提供する。【解決手段】  クリアファイル２の閉塞された周縁２ａ，２ｃに差込用穴５を形成して、この差込用穴５に差し込む差込部Ｓが形成されたファイル差込用のシート３が着脱自在に配されている書類入れファイル１である。【選択図】  図１
0003174234.tif 000002
【実用新案登録請求の範囲】
【請求項１】
Ｂ５、Ａ４などの所定の大きさの書類を入れて書類の整理や保管などに使用する書類入れファイルに差し込んで使用されるファイル差込用のシートであって、書類入れファイルの閉塞された周縁に形成された差込用穴に対して差し込む差込部を設けたことを特徴とするファイル差込用のシート。
【請求項２】
前記ファイル差込用のシートは、第１シートとその側面側に側面側シートが折り返し連結されたものであり、これら第１シートと側面側シートに各々差込部が設けられ、これらを重ね合わせる構成であることを特徴とする請求項１記載のファイル差込用のシート。
【請求項３】
前記ファイル差込用のシートは、第１シートとその側面側に側面側シートが折り返し連結されるとともに、第１シートの上下側の少なくとも一方に第２シートが折り返し連結され、前記側面側シートを重ね合わせた第１シートと第２シートとの間に書類を介在させることを特徴とする請求項１記載のファイル差込用のシート。
【請求項４】
Ｂ５、Ａ４などの所定の大きさの書類を入れて書類の整理や保管などに使用する書類入れファイルにおいて、書類入れファイルの閉塞された周縁に差込用穴を形成して、この差込用穴に差し込む差込部が形成されたファイル差込用のシートが着脱自在に配することを特徴とする書類入れファイル。
【請求項５】
前記書類入れファイルは、四角形状を呈して、そのＬ字状の２辺が閉塞されて、他の２辺が開口されたものであり、前記ファイル差込用のシートは、前記開口された側において折り返し連結された折り返し連結部を有することを特徴とする請求項４記載の書類入れファイル。
【請求項６】
前記差込用穴は、書類入れファイルの重ね合わせ端部を溶着するときに形成される空気抜孔であることを特徴とする請求項４記載の書類入れファイル。
【請求項７】
前記書類入れファイルが透明なクリアファイルであって、前記ファイル差込用のシートが透明ではない素材であることを特徴とする請求項４ないし６のいずれか１項記載の書類入れファイル。
【請求項８】
前記ファイル差込用のシートは、第１シートとその側面側に側面側シートが折り返し連結されたものであり、これら第１シートと側面側シートに各々差込部が設けられ、これらを重ね合わせる構成であることを特徴とする請求項４記載の書類入れファイル。
【考案の詳細な説明】
【技術分野】
【０００１】
本考案は、Ｂ５、Ａ４などの所定の大きさの書類を入れて書類の整理や保管などに使用する書類入れファイルと、このファイルに差し込んで使用されるファイル差込用のシートに関する。
【背景技術】
【０００２】
書類入れファイルは、クリアファイルやクリアホルダーとも言われ、Ｂ５、Ａ４などの所定の大きさの書類を入れて書類の整理や保管などに使用する。この書類入れファイルは、ポリプロピレン等の合成樹脂製であり、書類が差し込めるホルダーのことで、クリア（透明、有色の透明を含む。）なものが多いが、内部を見せないようにするために、透明ではない素材のクリアファイルもある。また、挟み込む書類が落ちないようにするために、片側をレールで挟み込むようにするレール付きクリアホルダーリアファイル透明のポケットの上部から書類を挿入して保管するブック形式になっているので見やすく整理できるものとしてブックファイルなども市販されている。
【０００３】
特許文献としては、特許文献１に、厚みを持った紙面等であっても収納操作（差し込み操作）が行い易い袋状の収納部を有し、かつ溶着部分が破損し難いクリアファイルが開示されている。特許文献２には、書類の出し入れ口を開閉する蓋面に設けられた片部材の係脱動作を容易に行うことのできるクリアホルダーが開示されている。特許文献３は、書類の脱落を防止するために、フィルムの外周角縁に互いに絡み合う凹凸の形状を備えるようにしたクリアホルダーである。
【先行技術文献】
【特許文献】
【０００４】
【特許文献１】特開２０１１−２３０４９２号公報
【特許文献２】特許第３０８５２１８号公報
【特許文献３】意匠登録第１２６９９７２号
【考案の開示】
【考案が解決しようとする課題】
【０００５】
上記のように、クリアファイルやクリアホルダーは多種あるが、近年は、四角形状でそのＬ字状の２辺が閉塞されて、他の２辺が開口されたものが、そのシンプルさなどの理由で汎用的に使用されている。このような書類入れファイルには、内部の空気を抜くための空気抜孔が形成されているものもあるが、ないものもある。空気抜孔は、表側シートと裏側シートとを重ね合わせ端部を溶着するときに溶着を一部施さないこと容易に形成でき、ファイルの角部に設けられているものが多いが、この位置に限らず形成することが可能である。
【０００６】
しかしながら、上記書類入れファイルの開口部（Ａ４クリアファイルなどではＬ字状の二辺）では、この開口部から入れた書類（名刺やカード類を含む。）が落下するおそれがある。このために、上記特許文献３のように書類の脱落を防止のために、凹凸の形状のような落下防止部材を備えるものがあるが、これでは、上記シンプルさが失われてしまうことと、落下防止部材が必要がないものの場合に外せなくなる問題がある。
また、上記従来のクリアファイルの課題として、さらに名刺なども同時にファイルしたい場合や、重要書類は筆頭ページに配しても、重要箇所が現われないようにしたいというような要望もある。そして、重要箇所は外部に現われないようにして、安心して持ち運びたい場合がある。
【０００７】
そこで、本考案の目的は、書類入れファイルに確実に取り付けて使用でき、書類入れファイルの開口部から書類が落下する事態を防止できるとともに、必要がないときには容易に外せることができるファイル差込用のシート及び書類入れファイルを提供することにある。
【課題を解決するための手段】
【０００８】
本考案のファイル差込用のシートは、Ｂ５、Ａ４などの所定の大きさの書類を入れて書類の整理や保管などに使用する書類入れファイルに差し込んで使用されるファイル差込用のシートであって、書類入れファイルの閉塞された周縁に差込用穴を形成して、この差込用穴に対して差し込む差込部を設けたことを特徴とする。ここで、差込用穴としては、書類ファイルの重ね合わせ溶着の部分の間隔を広くしたり、或いは、折り返し部に切り欠いて形成しても良く、叉、空気抜孔が形成されている書類入れファイルでは、この空気抜孔を利用しても良い。差込用穴ファイル差込用のシートは、薄い紙や薄い紙やシート・フィルムで重ね合わせたり、形状や大きさは問わず適用可能である。
【０００９】
この考案によれば、書類入れファイルの空気抜孔などの差込穴を利用したり、差込用穴を形成して、ファイル差込用のシートを書類入れファイルと一体的に設けることができ、容易に脱落するようなことはない。例えば、従来書類入れファイルに名刺やカード類などの書類を同時に整理したり保管したりすることが要望されていたが、これにより保管等する書類に関連付けた名刺などを同時に保管できるようになる。
【００１０】
本考案としては、前記ファイル差込用のシートは、第１シートとその側面側に側面側シートが折り返し連結されるとともに、第１シートとその上下側の少なくとも一方に第２シートが折り返し連結され、前記側面側シートを重ね合わせた第１と第２シートとの間に書類を介在させることを特徴とする。
本考案によれば、第１と第２シートとの間に書類を介在させることにより、書類を落下させないようにして書類入れファイルにファイルすることができる。
【００１１】
本考案としては、前記ファイル差込用のシートは、第１シートとその側面側に側面側シートが折り返し連結されたものであり、これら第１シートと側面側シートに各々差込部が設けられ、これらを重ね合わせられる構成とされていることを特徴とする。
本考案によれば、差込部が重ね合わせて構成されるので、紙製であっても丈夫な差込部が構成される。
【００１２】
また、本考案の書類入れファイルは、Ｂ５、Ａ４などの所定の大きさの書類を入れて書類の整理や保管などに使用する書類入れファイルにおいて、書類入れファイルの閉塞された周縁に差込用穴を形成して、この差込用穴に差し込む差込部が形成されたファイル差込用のシートが着脱自在に配することを特徴とする。
【００１３】
この考案によれば、書類入れファイルに差込用穴を形成して、ファイル差込用のシートの差込部を差し込むと、ファイル差込用のシートが安定して取り付けられるが、このファイル差込用のシートに書類を挟むようにすると、書類を書類入れファイルから落下させることなく、叉、書類の所定箇所を隠すようにできるようになる。したがって、名刺などとともに資料を保管したり、重要書類の所定箇所を隠して持ち運べるような使用が可能になる。
【００１４】
本考案としては、前記書類入れファイルは、四角形状を呈して、そのＬ字状の２辺が折り返し連結された折り返し連結部とされ、他の２辺が開口されたものであり、前記ファイル差込用のシートは、前記書類入れファイルの開口された側において折り返し連結された折り返し連結部を有することを特徴とする。
本考案によれば、前記ファイル差込用のシートは、前記書類入れファイルの開口された側において折り返し連結された折り返し連結部を有することから、前記ファイル差込用のシートに書類（名刺などを含む）などを入れると、書類入れファイルから落下するようなことがなくなる。
【００１５】
本考案としては、前記ファイル差込用のシートの折り返し連結部に、前記空気抜孔に差し込む第２の差込部が形成されていることを特徴とする。
本考案によれば、前記第１の差込部のほかに、前記ファイル差込用のシートの折り返し連結部に第２の差込部が形成されていることから、これら両方の差込部でファイル差込用のシートを安定して保持される。
【００１６】
本考案としては、前記書類入れファイルが合成樹脂製の透明ファイルであって、前記ファイル差込用のシートが透明ではない素材であることを特徴とする。
本考案によれば、前記ファイル差込用のシートが紙製のファイルであることから、前記書類入れファイルが合成樹脂製の透明ファイルであっても、前記ファイル差込用のシートが透明ではない素材であることにより、この素材の内側に書類を入れると、外部からは認識できなくなくなる。したがって、名刺やカード類を入れて持ち運んだとしても、その名刺などを外部からは認識されるようなことはない。
【考案の効果】
【００１７】
本考案によれば、書類入れファイルに差込用穴を形成して、ファイル差込用のシートの差込部を差し込むと、ファイル差込用のシートが安定して取り付けられ、このファイル差込用のシートに書類を挟むようにすると、書類を書類入れファイルから落下させることなく、叉、書類の所定箇所を隠すようにできるようになる。したがって、名刺などとともに資料を保管したり、重要書類の所定箇所を隠して持ち運べるような使用が可能になる。例えば、従来落下などのおそれのあった名刺やカード類などの書類を書類入れファイルに入れる書類と関連づけて整理したり保管したりすることができる。また、着脱自在であることにより、必要に応じて、使用すれば良く、必要の場合は、従来通り使用可能である。
【図面の簡単な説明】
【００１８】
【図１】本考案の一実施の形態を示す書類入れファイルを示す正面図である。
【図２】上記一実施の形態のファイル差込用のシートを展開して示す正面図である。
【図３】上記一実施の形態を示す書類入れシートの使用例を示す斜視図である。
【図４】本考案の他の実施の形態のファイル差込用のシートを示す正面図である。
【図５】本考案の他の実施の形態のファイル差込用のシートとクリアファイルを示す正面図である。
【考案を実施するための形態】
【００１９】
以下、本考案の実施の形態について図面を参照しながら説明する。
【００２０】
図１は本考案の一実施の形態を示す書類入れファイル１を示す正面図であり、ファイル差込用のシート２がクリアファイル２に差し込まれた状態の図であり、図２はファイル差込用のシート３を展開して示す正面図であり、図３は書類入れシートの使用例を示す斜視図である。
本考案の実施の形態の書類入れファイル１は、Ａ４の書類を入れるクリアファイル２であり（Ａ４よりもやや大きく形成されている。）、四角形状を呈して、そのＬ字状の２辺２ａ，２ｃが閉塞され、他の２辺２ｂ，２ｄが開口されたものであり、閉塞される２辺２ｃ，２ｄのうちの一辺（下辺）２ｃは溶着により閉塞され、他の一辺（左辺）２ａは折り返し連結された折り返し連結部とされている。溶着された一辺（下辺）２ｃは、すべて溶着されず、空気抜孔（差込用穴）５が設けられている。空気抜孔（差込用穴）５は、クリアファイル２の下辺）２ｃを溶着するときの溶着部４を一部用ｙ託しないことで形成されている。そこで、この空気抜孔５を利用してファイル差込用のシート２を着脱自在に取り付ける。本実施の形態のクリアファイル２は合成樹脂製の透明ファイルであるが、透明でなくても適用可能であり、合成樹脂製ではなくても、例えば紙製であっても適用可能ある。
【００２１】
上記空気抜孔（差込用穴）５は、クリアファイル２の角部に形成されているものが多いが、必ずしもこの位置に限らず、書類入れファイル（クリアファイル）１内の空気を集めて空気を抜くためのものであるから、溶着の際に差込用穴５を形成するために、溶着しない部分を設けて、これを差込用穴５としてしても良い。例えば、Ａ４であれば、約８〜１４ｍｍ程度に空気抜孔が形成されているが、これは溶着との関係で任意に形成でき、本実施の形態の空気抜孔５としても、差込部との関係で任意の大きさに形成しても良い（図４参照）。
【００２２】
ファイル差込用のシート３は、書類入れファイル２の差し込まれて使用されるものであり、第１シート３ａと第２シート３ｂと側面側シート３ｃの３面部を折り返して、書類入れファイル２の差し込まれる。第１シート３ａと第２シート３ｂは上下で折り返し連結され、その折り返し連結箇所においてＬ状の切り欠きにより差込部（第１シートの差込部）Ｓが形成されている。側面側シート３ｃは、第１シート３ａと折り返し連結されて、第１シート３ａと第２シート３ｂの間に差し込まれて書類入れファイル２に差し込まれる。側面側シート２ｃの下方には差込部（側面側シートの差込部）Ｓが突出形成されており、第１シート３ａの差込部Ｓと重なり合って、空気抜孔５に差し込まれる。本実施の形態のファイル差込用のシート３は、差し込まれる書類Ｐ１，Ｐ２の印刷内容が外部に現われないようにするために、紙製のもので、透明ではない素材を使用するが、紙製でなくとも適用可能である。例えば、ファイル差込用のシート３もポリプロピレン等の合成樹脂製のものを使用して、書類入れファイル（クリアファイル２）１との静電気作用で落下し難いものを使用しても良い。
また、ファイル差込用のシート３は、その側面側シート３ｃが折り返される側（折り返し連結部）３ｅがクリアファイル２の開口部２ｄ側になるようにしている。これにより、ファイル差込用のシート３に書類（名刺やカードなどを含む）Ｐ２などを入れると、書類入れファイル１から落下するようなことがなくなる（図３）。なお、側面側シート２ｃの差込部Ｓは、仮になくとも、第１シート３ａと第２シート３ｂの間に差し込まれることによって、ファイル差込用のシート３に書類（名刺やカードなどを含む）Ｐ２などを入れると、書類入れファイル１から落下するようなことがなくなる。
また、ファイル差込用のシート３の側面側シート３ｃには、名刺やカードなどを差し込むためのスリット３ｓが形成されている。本実施の形態のスリット３ｓは、名刺などのカード類や筆記具などの小物類を差し込むための所定幅を有するが、このようなスリット３ｓは、その形状に係らずいくつも形成しても良い。なお、ファイル差込用のシート３の幅は、Ａ４の書類が差込可能なように、Ａ４サイズのクリアファイル２とほぼ同じ幅になっている。
【００２３】
本実施の形態の書類入れファイルを組み立てるには、ファイル差込用のシート３を折り畳んで、すなわちその側面側シート３ｃを第１シート３ａに対して折り返した後に第２シート３ｂを第１シート３ａに対して折り返し重ね合わせる。このように重ね合わせると、第１シート３ａの差込部Ｓと側面側シート３ｃの差込部Ｓとが重なり合い、二重の差込部Ｓ，Ｓが形成されるので、紙製であってもある程度の硬さを有するようになる。したがって、この差込部Ｓ，Ｓをクリアファイル２の差込用穴（空気抜孔）５に差し込むと、クリアファイル２にファイル差込用のシート３が差し込まれた書類入れファイル１が完成する（図１）。
また、着脱自在であることにより、必要に応じて、使用すれば良く、不要の場合は、従来通り使用可能である。なお、差込部Ｓは、薄い紙やシート・フィルムで形成すれば、空気抜孔５からの空気抜けに支障は生じない。
【００２４】
次に、本実施の形態の書類入れファイル１を使用して、例えば、取引先会社の担当者から名刺と資料（書類）を預かったような場合を例で説明すると、予めファイル差込用のシート３が差し込まれた書類入れファイル１を使用して、担当者から頂いた名刺Ｍは、ファイル差込用のシート３の側面側シート３ｃのスリット３ｓに差し込み、預かった資料（書類）Ｐ１，Ｐ２は、書類入れファイルの開口部からファイル差込用のシート３の第１シート３ａと側面側シート３ｃの間に差し込むようにすると、ファイル差込用のシート３の折り返し連結部で遮られるので、クリアファイル２の開口部２ｃ，２ｄから落下することはない。
また、資料（書類）Ｐ１，Ｐ２のうち、例えば資料（書類）Ｐ１の下方側に会社名などが印刷されており、これを隠したいような場合には、書類入れファイルの開口部からファイル差込用のシートを使用しないで、例えばファイル差込用のシート３の第第１シート３ａ２シート３ｂの間や、第２シート３ｂの裏面側とクリアファイル２の間に差し込むようにしても良い。このように使用すると、クリアファイル２を使用しつつも、ファイルする書類を外部からは認識できなくすることがええきる。
【００２５】
以上、上記各実施の形態では、クリアファイル２に予め形成されている空気抜孔５を利用して、ファイル差込用のシート３の差込部Ｓを差し込む構造であるが、クリアファイル２に差込用穴５を設けて、この差込用穴５に対してファイル差込用のシート３の差込部Ｓを差し込むようにしても良い。
例えば、他の実施の形態の書類入れファイルとしては、溶着部４に空気抜き用の孔のような差込用穴５を溶着部４を形成する際に設けたり（図４）、折り返し連結部２ａに差込用穴５を切り欠くようにして設けても良い（図５（ｂ））。そして、本実施の形態の形態では、最もシンプルなクリアファイル２との組み合わせで説明したが、本発明はこれに限定されるものではなく、その他のクリアファイルやクリアフォルダーや、更にはレール付きクリアホルダーやブック形式のブックファイル等であっても、差込用穴５を形成することで、これらにも適用可能である。
【符号の説明】
【００２６】
１    書類入れファイル（クリアファイル）、
２    クリアファイル、
２ａ，２ｃ    一方のＬ字状の２辺（閉塞部、閉塞された周縁）、
２ａ    折り返し連結部
２ｂ，２ｄ    他方のＬ字状の２辺（開口部）、
３  ファイル差込用のシート、
３ａ    第１シート、
３ｂ  第２シート、３ｃ  側面側シート、３ｅ  折り返し連結部、
Ｓ  差込部、
４  溶着部、
５  空気抜孔（差込用穴）、
Ｍ  名刺（カード類）、
Ｐ１，Ｐ２  資料、
【図１】
0003174234.tif 000003
【図２】
0003174234.tif 000004
【図３】
0003174234.tif 000005
【図４】
0003174234.tif 000006
【図５】
0003174234.tif 000007